(57)【要約】【課題】  外観の面においてつなぎ目無しに近付けることができる押しボタン・モジュールを提供すること【解決手段】  ステップが、まず金型を一つ提供するステップと、引き続いて複数の漏れ部を有する押しボタン体を当該金型上に成形するステップと、この後予め結合された表示体とエラストマーを当該押しボタン体へ押し付けるステップと、最後に当該表示体を当該押しボタン体上に緊密に貼り付け、また当該表示体にて当該押しボタン体の漏れ部を充填し満たし、且つ同時に当該エラストマーの下端に回路基板を接触するためのタッチ・ブロックを成形する。【選択図】    図４
2006331954.tif 000002
【特許請求の範囲】
【請求項１】
押しボタン・モジュールの作製方法であって、
金型を一つ提供するステップと、
複数の漏れ部を有する押しボタン体を金型上に成形するステップと、
予め結合された表示体とエラストマーを押しボタン体へ押し付けるステップと、
表示体を押しボタン体上に緊密に貼り付け、また表示体にて押しボタン体の漏れ部を充填し満たし、且つ同時にエラストマーの下端に回路基板と接触するためのタッチ・ブロックを成形するステップと、
を含んでなることを特徴とする押しボタン・モジュールの作製方法。
【請求項２】
前記金型は、押しボタン体の表面に対し水平面を呈する平面金型であることを特徴とする請求項１記載の押しボタン・モジュールの作製方法。
【請求項３】
前記平面金型により、表示体と押しボタン体の表面が同じ水平面を有するように成形したことを特徴とする請求項２記載の押しボタン・モジュールの作製方法。
【請求項４】
前記金型は、押しボタン体の漏れ部に対し窪み状を呈する凹面金型であることを特徴とする請求項１記載の押しボタン・モジュールの作製方法。
【請求項５】
前記凹面金型により、表示体に押しボタン体の表面から突出する突出部を形成したことを特徴とする請求項１記載の押しボタン・モジュールの作製方法。
【請求項６】
前記押しボタン体は、金属やプラスチック材料から作製されることを特徴とする請求項１記載の押しボタン・モジュールの作製方法。
【請求項７】
前記表示体は、色や字体を有するフィルムであることを特徴とする請求項１記載の押しボタン・モジュールの作製方法。
【請求項８】
前記表示体は、押しボタン体または押しボタン体の漏れ部を介して色や字体を表示する機能を付与したことを特徴とする請求項７記載の押しボタン・モジュールの作製方法。
【請求項９】
前記エラストマーは、ゴムやプラスチック材料から作製されることを特徴とする請求項１記載の押しボタン・モジュールの作製方法。
【請求項１０】
前記表示体と前記押しボタン体との緊密な貼付けにより、表示体と押しボタン体との相互の間のギャップが０.０１〜０.０３ミリメートル（ｍｍ）に位置させたことを特徴とする請求項１記載の押しボタン・モジュールの作製方法。
【請求項１１】
押しボタン・モジュールの作製方法であって、
金型を一つ提供するステップと、
複数の漏れ部を有する押しボタン体を金型上に成形するステップと、
順に予め結合された第１のエラストマー、表示体と第２のエラストマーを押しボタン体へ押し付けるステップと、
第１のエラストマーを押しボタン体上に緊密に貼り付け、また第１のエラストマーにて押しボタン体の漏れ部を充填して満たし、且つ同時に２のエラストマーの下端に回路基板と接触するためのタッチ・ブロックを成形するステップと、
を含んでなることを特徴とする押しボタン・モジュールの作製方法。
【請求項１２】
前記金型は、押しボタン体の表面に対し水平面を呈する平面金型であることを特徴とする請求項１１記載の押しボタン・モジュールの作製方法。
【請求項１３】
前記金型により、第１のエラストマーと押しボタン体の表面が同じ水平面を有するように成形したことを特徴とする請求項１２記載の押しボタン・モジュールの作製方法。
【請求項１４】
前記金型は、押しボタン体の漏れ部に対し窪み状を呈する凹面金型であることを特徴とする請求項１１記載の押しボタン・モジュールの作製方法。
【請求項１５】
前記凹面金型により、第１のエラストマーに押しボタン体の表面から突出する突出部を形成したことを特徴とする請求項１１記載の押しボタン・モジュールの作製方法。
【請求項１６】
前記押しボタン体は、金属やプラスチック材料から作製されることを特徴とする請求項１１記載の押しボタン・モジュールの作製方法。
【請求項１７】
前記表示体は、色や字体を有するフィルムであることを特徴とする請求項１１記載の押しボタン・モジュールの作製方法。
【請求項１８】
前記表示体は、第１のエラストマー及び押しボタン体または押しボタン体の漏れ部を介して色や字体を表示する機能を付与したことを特徴とする請求項１７記載の押しボタン・モジュールの作製方法。
【請求項１９】
前記第１のエラストマー及び前記第２のエラストマーは、ゴムやプラスチック材料から作製されることを特徴とする請求項１１記載の押しボタン・モジュールの作製方法。
【請求項２０】
前記第１のエラストマーと前記押しボタン体との緊密な貼付けにより、第１のエラストマーと押しボタン体との相互の間のギャップを０.０１〜０.０３ミリメートル（ｍｍ）に位置させたことを特徴とする請求項１１記載の押しボタン・モジュールの作製方法。
【請求項２１】
押しボタン・モジュールであって、
複数の漏れ部を有する押しボタン体と、
前記押しボタン体の表面を緊密に一体成形に被覆し且つ押しボタン体の漏れ部を緊密に充填し満たした表示体と、
前記表示体の表面を緊密に一体成形に被覆し且つエラストマーの下端にタッチ・ブロックを有するエラストマーとを含んでなることを特徴とする押しボタン・モジュール。
【請求項２２】
前記表示体と前記押しボタン体の表面が同じ水平面を有することを特徴とする請求項２１記載の押しボタン・モジュール。
【請求項２３】
前記表示体は、漏れ部より押しボタン体の表面から突出する複数の突出部を含んでなることを特徴とする請求項２１記載の押しボタン・モジュール。
【請求項２４】
前記押しボタン体は、金属やプラスチック材料から作製されることを特徴とする請求項２１記載の押しボタン・モジュール。
【請求項２５】
前記表示体は、色や字体を有するフィルムであることを特徴とする請求項２１記載の押しボタン・モジュール。
【請求項２６】
前記表示体は、押しボタン体または押しボタン体の漏れ部を介して色や字体を表示する機能を付与したことを特徴とする請求項２５記載の押しボタン・モジュール。
【請求項２７】
前記エラストマーは、ゴムやプラスチック材料から作製されることを特徴とする請求項２１記載の押しボタン・モジュール。
【請求項２８】
前記表示体と押しボタン体との緊密な貼付けにより、表示体と押しボタン体との相互の間のギャップを０.０１〜０.０３ミリメートル（ｍｍ）に位置させたことを特徴とする請求項２１記載の押しボタン・モジュール。
【請求項２９】
押しボタン・モジュールであって、
複数の漏れ部を有する押しボタン体と、
押しボタン体の表面を緊密に一体成形に被覆し且つ押しボタン体の漏れ部を緊密に充填し満たす第１のエラストマーと、
前記第１のエラストマーの表面を緊密に一体成形に被覆する表示体と、
前記表示体の表面を緊密に一体成形に被覆し且つ第２のエラストマーの下端にタッチ・ブロックを有する第２のエラストマーとを含んでなることを特徴とする押しボタン・モジュール。
【請求項３０】
前記第１のエラストマーと前記押しボタン体の表面が同じ水平面を有することを特徴とする請求項２９記載の押しボタン・モジュール。
【請求項３１】
前記第１のエラストマーは、漏れ部より押しボタン体の表面から突出する複数の突出部を含んでなることを特徴とする請求項２９記載の押しボタン・モジュール。
【請求項３２】
前記押しボタン体は、金属やプラスチック材料から作製されることを特徴とする請求項２９記載の押しボタン・モジュール。
【請求項３３】
前記表示体は、色や字体を有するフィルムであることを特徴とする請求項２９記載の押しボタン・モジュール。
【請求項３４】
前記表示体は、第１のエラストマー及び押しボタン体または押しボタン体の漏れ部を介して色や字体を表示する機能を付与したことを特徴とする請求項３３記載の押しボタン・モジュール。
【請求項３５】
前記第１のエラストマー及び前記第２のエラストマーは、ゴムやプラスチック材料から作製されることを特徴とする請求項２９記載の押しボタン・モジュール。
【請求項３６】
前記第１のエラストマーと前記押しボタン体との緊密な貼付けにより、第１のエラストマーと押しボタン体との相互の間のギャップを０.０１〜０.０３ミリメートル（ｍｍ）に位置させたことを特徴とする請求項２９記載の押しボタン・モジュール。
【発明の詳細な説明】
【技術分野】
【０００１】
本発明は押しボタン・モジュールの作製方法および押しボタン・モジュールに関し、特に予め結合された表示体とエラストマーを押しボタン体へ押し付けることにより押しボタン体と、表示体及びエラストマーとを相互の緊密に貼付けできて、且つ一体成形した押しボタン・モジュールの作製方法および押しボタン・モジュールに関するものである。
【背景技術】
【０００２】
情報技術時代の到来と通信ネットワーク技術の進歩により、携帯電話（または手機という）は、現在最もよく使われる通信ツールの一つである。携帯電話の製品は、その体積が軽くて小さいため携帯に便利であり、また機能も増え、価格も益々安くなっているため多くの消費者に使用されるようになった。一般に消費者は、携帯電話を選んで買う際に、携帯電話の機能と外観を考慮する。そして市場での消費者の傾向に対処するため機能を揃え且つ新規な外観の携帯電話が次々と発売されている。
【０００３】
一般的に既存の携帯電話の薄型押しボタンは、まず各金属部やプラスチック部、およびゴム部などの構造部品の完成品や半製品を製造した後で、貼付けやゴムライニング等の方式を適用してこれらの構造部品を基に押しボタン・モジュールとして組み立てている。
【０００４】
図１を参照して説明する。図１は従来の押しボタン・モジュールの構造部品の間に形成されたギャップ（隙間）の模式図である。同図に示すように、従来からプロセス能力に限られる関係があるため、漏れ部（開孔部）を有すル部品１ａを他の構造部品２ａと組み立てる時に、組立て性の関係からその間に所定の組立てのためのギャップＡを確保する必要がある。通常組立てのギャップＡは約０.０３ミリメートル（ｍｍ）よりも大きくなる。
しかしこれらの構造部品１ａ，２ａ同士の外観に現れる組立てのギャップＡの存在は、押しボタン・モジュールの外観から受ける美感と、組立て後の封止性に大きな影響を及ぼす。そのため、製造者と使用者に不便を与える。
【０００５】
以上のように、従来の押しボタン・モジュールおよびその作製方法にあっては、実際に使用する上で著しい不便さと欠点が存在する。そのため更なる改善が求められている。
【発明の開示】
【発明が解決しようとする課題】
【０００６】
本発明は、以上に述べた技術状態の欠点を排除できる、押しボタン・モジュールの作製方法および押しボタン・モジュールを提供することを目的とする。
【課題を解決するための手段】
【０００７】
本発明は、押しボタン・モジュールおよびその作製方法を一つ提供するにある。特殊なプロセスを利用することにより、押しボタン・モジュールが外観の面においてつなぎ目無しに近付く構造特徴を具し、ひいては緊密かつ一体成形した薄型携帯電話の押しボタン・モジュールを形成せる。また本発明は、押付け、射出を利用し或いはシリコン・ゴム（またはエラストマー）を漏れ部にキャストした後で、押しボタン体と表示体との間または押しボタン体とエラストマーとの間の外観漏れ部分のギャップが０.０１ミリメートル（ｍｍ）よりも小さくなることが出来る。
【０００８】
前述の技術問題を解決するために、本発明は押しボタン・モジュールの作製方法を提供し、そのステップが、まず金型を一つ提供すること、引き続いて複数の漏れ部を有する押しボタン体を金型上に成形すること、この後予め結合された表示体とエラストマーを押しボタン体へ押し付けること、最後に表示体を押しボタン体上に緊密に貼り付けまた表示体にて押しボタン体の漏れ部を充填し満たし且つ同時にエラストマーの下端に回路基板を接触するためのタッチ・ブロックを成形することを含んでなる。
【０００９】
前述の技術問題を解決するために、本発明うちの方法によれば、押しボタン・モジュールの作製方法を提供し、まず金型を一つ提供すること、引き続いて複数の漏れ部を有する押しボタン体を金型上に成形すること、この後順に予め結合された第１のエラストマー、表示体と第２のエラストマーを押しボタン体へ押し付けること、最後に第１のエラストマーを押しボタン体上に緊密に貼り付け、また第１のエラストマーにて押しボタン体の漏れ部を充填し満たし、且つ同時に２のエラストマーの下端に回路基板を接触するためのタッチ・ブロックを成形することを含んでなる。
【００１０】
前述の技術問題を解決するために、本発明によれば、押しボタン・モジュールを提供し、押しボタン体、表示体とエラストマーを含んでなる。中でも、押しボタン体が複数の漏れ部を具し、表示体が押しボタン体の表面を緊密に一体成形に被覆し且つ押しボタン体の漏れ部を緊密に充填し満たし、さらにエラストマーが表示体の表面を緊密に一体成形に被覆し、且つエラストマーの下端がタッチ・ブロックを有する。
【００１１】
前述の技術問題を解決するために、本発明によれば、押しボタン・モジュールを提供し、押しボタン体、第１のエラストマー、表示体と第２のエラストマーを含んでなる。中でも、押しボタン体が複数の漏れ部を具し、第１のエラストマーが押しボタン体の表面を緊密に一体成形に被覆し、且つ押しボタン体の漏れ部を緊密に充填し満たし、表示体が第１のエラストマーの表面を緊密に一体成形に被覆し、さらに第２のエラストマーが表示体の表面を緊密に一体成形に被覆し、且つ第２のエラストマーの下端がタッチ・ブロックを有する。
【００１２】
すなわち本願の第１発明は、押しボタン・モジュールの作製方法であって、金型を一つ提供するステップと、複数の漏れ部を有する押しボタン体を金型上に成形するステップと、予め結合された表示体とエラストマーを押しボタン体へ押し付けるステップと、表示体を押しボタン体上に緊密に貼り付け、また表示体にて押しボタン体の漏れ部を充填し満たし、且つ同時にエラストマーの下端に回路基板と接触するためのタッチ・ブロックを成形するステップと、を含んでなることを特徴とする押しボタン・モジュールの作製方法を提供する。
【００１３】
本願の第２発明は、前記金型は、押しボタン体の表面に対し水平面を呈する平面金型であることを特徴とする前記第１発明に記載の押しボタン・モジュールの作製方法を提供する。
【００１４】
本願の第３発明は、前記平面金型により、表示体と押しボタン体の表面が同じ水平面を有するように成形したことを特徴とする前記第２発明に記載の押しボタン・モジュールの作製方法を提供する。
【００１５】
本願の第４発明は、前記金型は、押しボタン体の漏れ部に対し窪み状を呈する凹面金型であることを特徴とする前記第１発明に記載の押しボタン・モジュールの作製方法を提供する。
【００１６】
本願の第５発明は、前記凹面金型により、表示体に押しボタン体の表面から突出する突出部を形成したことを特徴とする前記第１発明に記載の押しボタン・モジュールの作製方法を提供する。
【００１７】
本願の第６発明は、前記押しボタン体は、金属やプラスチック材料から作製されることを特徴とする前記第１発明に記載の押しボタン・モジュールの作製方法を提供する。
【００１８】
本願の第７発明は、前記表示体は、色や字体を有するフィルムであることを特徴とする前記第１発明に記載の押しボタン・モジュールの作製方法を提供する。
【００１９】
本願の第８発明は、前記表示体は、押しボタン体または押しボタン体の漏れ部を介して色や字体を表示する機能を付与したことを特徴とする前記第７発明に記載の押しボタン・モジュールの作製方法を提供する。
【００２０】
本願の第９発明は、前記エラストマーは、ゴムやプラスチック材料から作製されることを特徴とする前記第１発明に記載の押しボタン・モジュールの作製方法を提供する。
【００２１】
本願の第１０発明は、前記表示体と前記押しボタン体との緊密な貼付けにより、表示体と押しボタン体との相互の間のギャップが０.０１〜０.０３ミリメートル（ｍｍ）に位置させたことを特徴とする前記第１発明に記載の押しボタン・モジュールの作製方法を提供する。
【００２２】
本願の第１１発明は、押しボタン・モジュールの作製方法であって、金型を一つ提供するステップと、複数の漏れ部を有する押しボタン体を金型上に成形するステップと、順に予め結合された第１のエラストマー、表示体と第２のエラストマーを押しボタン体へ押し付けるステップと、第１のエラストマーを押しボタン体上に緊密に貼り付け、また第１のエラストマーにて押しボタン体の漏れ部を充填して満たし、且つ同時に２のエラストマーの下端に回路基板と接触するためのタッチ・ブロックを成形するステップと、を含んでなることを特徴とする押しボタン・モジュールの作製方法を提供する。
【００２３】
本願の第１２発明は、前記金型は、押しボタン体の表面に対し水平面を呈する平面金型であることを特徴とする前記第１１発明に記載の押しボタン・モジュールの作製方法を提供する。
【００２４】
本願の第１３発明は、前記金型により、第１のエラストマーと押しボタン体の表面が同じ水平面を有するように成形したことを特徴とする前記第１２発明に記載の押しボタン・モジュールの作製方法を提供する。
【００２５】
本願の第１４発明は、前記金型は、押しボタン体の漏れ部に対し窪み状を呈する凹面金型であることを特徴とする前記第１１発明に記載の押しボタン・モジュールの作製方法を提供する。
【００２６】
本願の第１５発明は、前記凹面金型により、第１のエラストマーに押しボタン体の表面から突出する突出部を形成したことを特徴とする前記第１１発明に記載の押しボタン・モジュールの作製方法を提供する。
【００２７】
本願の第１６発明は、前記押しボタン体は、金属やプラスチック材料から作製されることを特徴とする前記第１１発明に記載の押しボタン・モジュールの作製方法を提供する。
【００２８】
本願の第１７発明は、前記表示体は、色や字体を有するフィルムであることを特徴とする前記第１１発明に記載の押しボタン・モジュールの作製方法を提供する。
【００２９】
本願の第１８発明は、前記表示体は、第１のエラストマー及び押しボタン体または押しボタン体の漏れ部を介して色や字体を表示する機能を付与したことを特徴とする前記第１７発明に記載の押しボタン・モジュールの作製方法を提供する。
【００３０】
本願の第１９発明は、前記第１のエラストマー及び前記第２のエラストマーは、ゴムやプラスチック材料から作製されることを特徴とする前記第１１発明に記載の押しボタン・モジュールの作製方法を提供する。
【００３１】
本願の第２０発明は、前記第１のエラストマーと前記押しボタン体との緊密な貼付けにより、第１のエラストマーと押しボタン体との相互の間のギャップを０.０１〜０.０３ミリメートル（ｍｍ）に位置させたことを特徴とする前記第１１発明に記載の押しボタン・モジュールの作製方法を提供する。
【００３２】
本願の第２１発明は、押しボタン・モジュールであって、複数の漏れ部を有する押しボタン体と、前記押しボタン体の表面を緊密に一体成形に被覆し且つ押しボタン体の漏れ部を緊密に充填し満たした表示体と、前記表示体の表面を緊密に一体成形に被覆し且つエラストマーの下端にタッチ・ブロックを有するエラストマーとを含んでなることを特徴とする押しボタン・モジュールを提供する。
【００３３】
本願の第２２発明は、前記表示体と前記押しボタン体の表面が同じ水平面を有することを特徴とする前記第２１発明に記載の押しボタン・モジュールの作製方法を提供する。
【００３４】
本願の第２３発明は、前記表示体は、漏れ部より押しボタン体の表面から突出する複数の突出部を含んでなることを特徴とする前記第２１発明に記載の押しボタン・モジュールの作製方法を提供する。
【００３５】
本願の第２４発明は、前記押しボタン体は、金属やプラスチック材料から作製されることを特徴とする前記第２１発明に記載の押しボタン・モジュールの作製方法を提供する。
【００３６】
本願の第２５発明は、前記表示体は、色や字体を有するフィルムであることを特徴とする前記第２１発明に記載の押しボタン・モジュールの作製方法を提供する。
【００３７】
本願の第２６発明は、前記表示体は、押しボタン体または押しボタン体の漏れ部を介して色や字体を表示する機能を付与したことを特徴とする前記第２５発明に記載の押しボタン・モジュールの作製方法を提供する。
【００３８】
本願の第２７発明は、前記エラストマーは、ゴムやプラスチック材料から作製されることを特徴とする前記第２１発明に記載の押しボタン・モジュールの作製方法を提供する。
【００３９】
本願の第２８発明は、前記表示体と押しボタン体との緊密な貼付けにより、表示体と押しボタン体との相互の間のギャップを０.０１〜０.０３ミリメートル（ｍｍ）に位置させたことを特徴とする前記第２１発明に記載の押しボタン・モジュールの作製方法を提供する。
【００４０】
本願の第２９発明は、押しボタン・モジュールであって、複数の漏れ部を有する押しボタン体と、押しボタン体の表面を緊密に一体成形に被覆し且つ押しボタン体の漏れ部を緊密に充填し満たす第１のエラストマーと、前記第１のエラストマーの表面を緊密に一体成形に被覆する表示体と、前記表示体の表面を緊密に一体成形に被覆し且つ第２のエラストマーの下端にタッチ・ブロックを有する第２のエラストマーとを含んでなることを特徴とする押しボタン・モジュールを提供する。
【００４１】
本願の第３０発明は、前記第１のエラストマーと前記押しボタン体の表面が同じ水平面を有することを特徴とする前記第２９発明に記載の押しボタン・モジュールを提供する。
【００４２】
本願の第３１発明は、前記第１のエラストマーは、漏れ部より押しボタン体の表面から突出する複数の突出部を含んでなることを特徴とする前記第２９発明に記載の押しボタン・モジュールを提供する。
【００４３】
本願の第３２発明は、前記押しボタン体は、金属やプラスチック材料から作製されることを特徴とする前記第２９発明に記載の押しボタン・モジュールを提供する。
【００４４】
本願の第３３発明は、前記表示体は、色や字体を有するフィルムであることを特徴とする前記第２９発明に記載の押しボタン・モジュールを提供する。
【００４５】
本願の第３４発明は、前記表示体は、第１のエラストマー及び押しボタン体または押しボタン体の漏れ部を介して色や字体を表示する機能を付与したことを特徴とする前記第３３発明に記載の押しボタン・モジュールを提供する。
【００４６】
本願の第３５発明は、前記第１のエラストマー及び前記第２のエラストマーは、ゴムやプラスチック材料から作製されることを特徴とする前記第２９発明に記載の押しボタン・モジュールを提供する。
【００４７】
本願の第３６発明は、前記第１のエラストマーと前記押しボタン体との緊密な貼付けにより、第１のエラストマーと押しボタン体との相互の間のギャップを０.０１〜０.０３ミリメートル（ｍｍ）に位置させたことを特徴とする前記第２９発明に記載の押しボタン・モジュールを提供する。
【発明の効果】
【００４８】
ボタン・モジュールの押しボタン体と表示体及びエラストマーとを相互に緊密に貼付けできる。
外観や美感を増進することが可能な押しボタン・モジュールの作製方法および押しボタン・モジュールを提供することができる。
【発明を実施するための最良の形態】
【００４９】
以下、添付図面を参照して本発明の好適な実施の形態を詳細に説明する。
【００５０】
図２は本発明の押しボタン・モジュールの第１の実施例の断面模式図である。
同図に示すように本発明に係る押しボタン・モジュールは、一つの押しボタン体１と、一つの表示体２と、一つのエラストマー３を含む。
【００５１】
押しボタン体１は複数の漏れ部１０を有する。
押しボタン体１は金属やプラスチック材料から作製される。
表示体２と押しボタン体１はその表面が緊密に被覆するように、一体に成形（形成）されている。
表示体２の一部は押しボタン体１の漏れ部１０に充填して緊密に満たされている。
また表示体２と押しボタン体１はその表面が共に同じ水平面に形成される。
また表示体２は、顔色（色）や字体を表示したフィルムで構成することができる。これにより、表示体２が押しボタン体１または押しボタン体１の漏れ部１０を介して顔色や字体を表示する表示機能を付与することが出来る。
さらに表示体２と押しボタン体１との緊密な貼付けにより、表示体２と押しボタン体１との相互の間のギャップが０.０１〜０.０３ミリメートル（ｍｍ）に位置するように優れた効果を達成できる。
【００５２】
エラストマー３はゴムやプラスチック材料から作製される。
エラストマー３は表示体２の表面を緊密に被覆し、一体成形される。
さらに、エラストマー３の下端には一つのタッチ・ブロック３０を成形する。
このタッチ・ブロック３０は押しボタン・モジュールの作動構造体とすることが出来る。
タッチ・ブロック３０は押しボタン・モジュールの下方の回路基板（図示せず）に接触するためのもので、回路基板に接触して所定の信号を伝達させる。
【００５３】
つぎに図３を基に説明する。図３は本発明の押しボタン・モジュールの第２の実施例の断面模式図である。
同図に示すように、第２の実施例が先の第１の実施例と大きく異なるところは、表示体２が漏れ部１０より押しボタン体１の表面から突出した複数の突出部２０を含んで構成することである。
突出部２０は本発明に係る押しボタン・モジュールに立体的な美感を有するように促すことが出来る。
さらに使用者が押しボタン・モジュールを押え付ける時に、立体の接触を感じさせることができる。
【００５４】
つぎに図４を基に説明する。図４は本発明の押しボタン・モジュールの作製方法の第１、第２の実施例のフローチャートである。
フローチャートにしたがって押しボタン・モジュールの作製方法を説明すると、まず金型を一つ提供するステップ（S１００）と、引き続いて複数の漏れ部２０を有する押しボタン体２を金型上に成形するステップ（S１０２）と、中でも押しボタン体２が金属やプラスチック材料から作製できること、この後予め結合された表示体３とエラストマー４を押しボタン体へ押し付けるステップ（S１０４）と、最後に表示体２を押しボタン体１の上に緊密に貼り付けまた表示体２にて押しボタン体１の漏れ部１０を充填し満たし、且つ同時にエラストマー３の下端に回路基板（未図示）を接触するためのタッチ・ブロック３０を成形するステップ（S１０６）を含んでなることが分かる。
押し付け方法としては、押え付け、射出成形やキャスト成形等の各種の成形手段を適用出来るが、成形方法はこれらに限定されるものではなく、緊密な成形を利用する方式により、１回で同時に押しボタン体１、表示体２とエラストマー３を一体成形にする技術はすべて本発明に含まれるものである。
【００５５】
さらに使用する金型は押しボタン体２の表面に対し水平面を呈する平面金型４であることが出来る。
本発明は平面金型４の使用により、表示体２と押しボタン体１の表面が同じ水平面を有する。
さらに金型は押しボタン体１の漏れ部１０に対し窪み状を呈する凹面金型５であることが出来る。
本発明は凹面金型５の使用により、表示体２が押しボタン体１の表面から突出する突出部２０を形成する。
【００５６】
つぎに図５を基に説明する。図５は本発明に係る押しボタン・モジュールの第３の実施例の断面模式図である。
同図に示すように、本発明は一つの押しボタン体１、一つの第１のエラストマー６、一つの表示体２と一つの第２のエラストマー７を含んだ押しボタン・モジュールを提供できる。
【００５７】
押しボタン体１は複数の漏れ部１０を有する。
押しボタン体１は金属やプラスチック材料から作製される。
第１のエラストマー６は押しボタン体１の表面を緊密に被覆して一体成形され、且つ押しボタン体１の漏れ部１０を充填して緊密に満たす。
ほかに第１のエラストマー６と押しボタン体１の表面は同じ水平面を有する。
【００５８】
さらに表示体２は第１のエラストマー６の表面と緊密に被覆し一体成形される。
且つ表示体２は顔色や字体を有するフィルムで、表示体２が第１のエラストマー６、および押しボタン体１または押しボタン体１の漏れ部１０を介して顔色や字体を表示する表示機能を与えることが出来る。
本発明に係る押しボタン・モジュールは外観や美感を増進する作用効果を有する。
【００５９】
さらに、第２のエラストマー７は表示体２の表面を緊密に被覆し一体成形される。
第２のエラストマー７の下端には一つのタッチ・ブロック７０を成形する。
このタッチ・ブロック３０は押しボタン・モジュールの作動構造体とすることが出来る。押しボタン・モジュールの下方の回路基板（図示せず）と接触するためのもので、そして信号の伝送を生成する。
また、第１のエラストマー６及び第２のエラストマー７はゴムやプラスチック材料から作製することが出来る。
第１のエラストマー６と押しボタン体１との緊密な貼付けにより、第１のエラストマー６と押しボタン体１との相互の間のギャップを０.０１〜０.０３ミリメートル（ｍｍ）に位置する。
【００６０】
つぎに図６を基に説明する。図６は本発明に係る押しボタン・モジュールの第４の実施例の断面模式図である。
同図に示すように、第４の実施例が第３の実施例と大きく異なるところは、第１のエラストマー６が漏れ部１０より押しボタン体１の表面から突出する複数の突出部６０を含んでいることである。
突出部６０は本発明に係る押しボタン・モジュールに立体の美感を有するように促すことが出来る。
さらに押しボタン・モジュールを押え付ける時に、使用者に立体の接触感を与えることができる。
【００６１】
つぎに図７を基に説明する。図７は本発明の押しボタン・モジュールの作製方法の第３、第４の実施例のフローチャートである。
フローチャートにしたがって押しボタン・モジュールの作製方法を説明すると、まず金型を一つ提供するステップ（S２００）と、引き続いて複数の漏れ部１０を有する押しボタン体１を金型上に成形するステップ（S２０２）と、中でも押しボタン体１が金属やプラスチック材料から作製すること、この後順に予め結合された第１のエラストマー６、表示体２、と第２のエラストマー７を押しボタン体１へ押し付けるステップ（S２０４）とを含んでなる。
押し付け方法は押え付け、射出成形やキャスト成形であることが出来るが、しかし成形方法は本発明を限定するためのものではなく、緊密な成形を利用する方式により１回で同時に押しボタン体１、第１のエラストマー６、表示体２と第２のエラストマー７を一体成形にするのはいずれも本発明に含まれるものである。
【００６２】
最後に第１のエラストマー６を押しボタン体１の上に緊密に貼り付け、また第１のエラストマー６にて押しボタン体１の漏れ部１０を充填して満たし、且つ同時に２のエラストマー７の下端に回路基板（未図示）を接触するためのタッチ・ブロック７０を成形する（S２０６）。
【００６３】
さらに先の金型は押しボタン体１の表面に対し水平面を呈する平面金型４であることが出来る。
また平面金型４により、第１のエラストマー６と押しボタン体１の表面が同じ水平面を有する。
さらに先の金型は押しボタン体１の漏れ部１０に対し窪み状を呈する凹面金型５であることが出来る。
また凹面金型５により、第１のエラストマー６が押しボタン体１の表面から突出した突出部６０を形成する。
【００６４】
以上のように本発明は、押付け、射出を利用し或いはシリコン・ゴム（またはエラストマー）を漏れ部にキャストした後で、押しボタン体１と表示体２との間または押しボタン体１と第１のエラストマー６との間の外観漏れ部分のギャップを０.０１ミリメートルよりも小さくすることが出来る。従って、本発明に係る押しボタン・モジュールは外観の面において、つなぎ目が無しに近付くギャップ（継ぎ目を感じさせないほど微小の隙間）を有する。
【図面の簡単な説明】
【００６５】
【図１】従来の押しボタン・モジュールの構造部品の間に生成されたギャップの模式図である。
【図２】本発明の押しボタン・モジュールの第１の実施例の断面模式図である。
【図３】本発明の押しボタン・モジュールの第２の実施例の断面模式図である。
【図４】本発明の押しボタン・モジュールの作製方法の第１、第２の実施例のフローチャートである。
【図５】本発明の押しボタン・モジュールの第３の実施例の断面模式図である。
【図６】本発明の押しボタン・モジュールの第４の実施例の断面模式図である。
【図７】本発明の押しボタン・モジュールの作製方法の第３、第４の実施例のフローチャートである。
【符号の説明】
【００６６】
Ａ・・・・・組立てギャップ
１・・・・・押しボタン体
１ａ・・・・漏れ部を有する部品
２・・・・・表示体
２ａ・・・・配合構造部品
３・・・・・エラストマー
４・・・・・平面金型
５・・・・・凹面金型
６・・・・・第一エラストマー
７・・・・・第二エラストマー
１０・・・・漏れ部
２０・・・・突出部
３０・・・・タッチ・ブロック
６０・・・・突出部
７０・・・・タッチ・ブロック
【図１】
2006331954.tif 000003
【図２】
2006331954.tif 000004
【図３】
2006331954.tif 000005
【図４】
2006331954.tif 000006
【図５】
2006331954.tif 000007
【図６】
2006331954.tif 000008
【図７】
2006331954.tif 000009